(57)【特許請求の範囲】
【請求項１】
機裏側に装備された機構セット盤(G)における球貯留排出経路部(14)内に、貸球用の貯留球を通出案内する第１球送出路(26)および賞球用の貯留球を通出案内する第２球送出路(27)が画成され、前記球貯留排出経路部(14)の下部に設けた設置部(28)に、前記第１球送出路(26)に整合する貸球払出し用の第１球払出装置(L1)と、前記第２球送出路(27)に整合する賞球払出し用の第２球払出装置(L2)とを設置したパチンコ遊技機において、
前記第１球払出装置(L1)および第２球払出装置(L2)は、球払出し機構部(45)および中継基板(53)を収容する本体部材(31)と、この本体部材(31)の開口部に整合密着し、外側から本体部材(31)にビス(34)をねじ込むことで組付けられるカバー部材(32)と、前記機構セット盤(G)の設置部(28)に密着的に整合し、該設置部(28)に対する設置面側から本体部材(31)およびカバー部材(32)にビス(35)をねじ込むことで両部材(31,32)に跨って組付けられるベース部材(33)とから構成されて同一の外郭形状をなす矩形箱体状のケース体(30)内に、球通路(37)が画成されると共に、該ケース体(30)の上・下壁面(30a,30b)に、前記球通路(37)に整合する球流入口(39)および球流出口(40)を開口形成してケース体単位で構成され、
前記ベース部材(33)の設置面には、２つの位置決めボス(42)が対角位置に突設されて、各位置決めボス(42)に、組付固定ビス(44)の挿通を許容するビス挿通孔(43)が穿設され、
前記機構セット盤(G)の設置部(28)には、前記第１球払出装置(L1)の各位置決めボス(42)に対応した第１位置決め孔(56)と、第２球払出装置(L2)の各位置決めボス(42)に対応した第２位置決め孔(57)が凹設されて、該第１および第２位置決め孔(56,57)に、前記ベース部材(33)のビス挿通孔(43)に挿通した組付固定ビス(44)を螺合するビス孔(58)が形成され、
前記第１球払出装置(L1)のベース部材(33)に形成された各位置決めボス(42)を前記設置部(28)の第１位置決め孔(56)へ夫々嵌合すると共に、前記第２球払出装置(L2)のベース部材(33)に形成された各位置決めボス(42)を前記第２位置決め孔(57)へ夫々嵌合させて、第１および第２球払出装置(L1,L2)を設置部(28)に対して位置決めし、第１および第２球払出装置(L1,L2)における各位置決めボス(42)のビス挿通孔(43)に挿通した組付固定ビス(44)を第１および第２位置決め孔(56,57)のビス孔(58)に螺合することで、前記第１球払出装置(L1)および前記第２球払出装置(L2)が、一方のケース体(30)における左側壁面(30c)に他方のケース体(30)の右側壁面(30d)を相互に密着させた横列状態で前記機構セット盤(G)に設けた設置部(28)に組付けられて、第１球払出装置(L1)の前記球流入口(39)が前記第１球送出路(26)の球送出口(26a)に整合すると共に、前記第２球払出装置(L2)の前記球流入口(39)が前記第２球送出路(27)の球送出口(27a)に整合するよう構成された
ことを特徴とするパチンコ遊技機。
【請求項２】
前記第１および第２球払出装置(L1,L2)のケース体(30)は、前記本体部材(31)およびカバー部材(32)において前記ベース部材(33)のビス挿通孔(43)と対応する角部に、該ビス挿通孔(43)が開口する凹部(58)が前後の全長に亘って形成される請求項１記載のパチンコ遊技機。
【発明の詳細な説明】
【０００１】
【発明の属する技術分野】
この発明は、パチンコ遊技機に関し、更に詳細には、機裏側に装備された機構セット盤における球貯留排出経路部内に、貸球用の貯留球を通出案内する第１球送出路および賞球用の貯留球を通出案内する第２球送出路を画成し、前記球貯留排出経路部の下部に、前記第１球送出路に整合する貸球払出し用の第１球払出装置および前記第２球送出路に整合する賞球払出し用の第２球払出装置を設置したパチンコ遊技機に関するものである。
【０００２】
【従来の技術】
パチンコ機やアレンジボール機に代表されるこの種のパチンコ遊技機は、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対し、機裏側の機構セット盤に形成配置した球容器や整流路および球送出路等から構成される球貯留排出経路部内に貯留されたパチンコ球(貯留球)を、前記球送出路の球送出口の下方に配設した球払出装置の作動制御のもとに、所定数の賞球として機前側の上球皿または下球皿側へ給出するようになっている。一方、貸球用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して、所定数の貯留球を貸球として上球皿側へ給出するようになっている。
【０００３】
すなわち前記カード式パチンコ遊技機では、遊技盤内で展開されるパチンコゲームで成立した入賞(例えばセーフ球の発生、図柄組合わせ成立)に対して所定数(１〜１５個)の賞球を払出し得る一方、ゲームに使用すべき貸球を球貸し金額に対して設定数毎(例えば１００円に対して２５個)に払出し得るようになっている。そして当初、このようなカード式パチンコ遊技機に実施(装備)されている球払出しの技術・手段については、電子・電気的制御形態の１基の球払出装置が採用され、この球払出装置の作動制御区分(球払出し制御区分に基づいた貸球払出しと賞球払出し)により、貸球と賞球とを区分して払出すようになっていた。
【０００４】
しかしながら、貸球払出しと賞球払出しとを１基の球払出装置で兼用することは、▲１▼貸球払出しと賞球払出しとを同時に実行し得ない、▲２▼貸球数と賞球数とを正確に把握し得ない、等の課題を内在していた。従って近年に至っては、１つの収容ケース内に貸球払出機構部と賞球払出機構部とを内蔵した球払出装置が開発され、このようなタイプの球払出装置を装着したカード式パチンコ遊技機が主流となっている。従ってカード式パチンコ遊技機では、貸球払出しと賞球払出しを同時に実行し得ると共に、貸球数と賞球数の正確な把握が可能となっている。
【０００５】
【発明が解決しようとする課題】
ところで、貸球払出機構部と賞球払出機構部とを内蔵した前記球払出装置では、払出機構部を構成する主要部品数が単純に２倍となるので、１つの払出機構部を内蔵した球払出装置と比較して、その製造コスト(価格)も略２倍程度となってしまう。ところが、例えば賞球払出機構部に故障が発生した場合、故障していない貸球払出機構部を含めた該球払出装置全体を、同一規格の新品の球払出装置と交換しなければならないから、保守・管理費用が嵩む問題を内在していた。
【０００６】
このような問題から、賞球払出し専用の球払出装置(第１球払出装置)と、これとは別に貸球払出し専用の球払出装置(第２球払出装置)を準備し、前記球貯留排出経路部の球送出路の下方に設けた設置部に２基の球払出装置を上下に分離させて装着するようにした組付構造も提案されている。このような組付構造では、例えば第１球払出装置に故障が発生した場合、第２球払出装置はそのままに第１球払出装置のみを新品と交換すればよく、保守・管理費用を最低限に抑えることができる。しかしながら、球貯留排出経路部の下方に２基の球払出装置を適宜離間させかつ上下平面状に設置するようになっており、かなり広い設置スペースを確保する必要があるため、上球皿に至る球払出経路部の設計やその他各種装置の設置等に大きな制約が起こっていた。
【０００７】
また前述の組付構造では、夫々の球払出装置が互いに離間して非接触状態で設置されているから、例えば第１球払出装置に球詰まりが発生した場合、第２球払出装置が作動してもその振動が第１球払出装置へ伝わらず、該第１球払出装置の球詰まりが解消されることがなかった。すなわち従来においては、両球払出装置の相互作用に基づいて球詰まりを防止するという技術的思想はなかった。
【０００８】
【発明の目的】
本発明は、前述した従来の技術に内在している前記課題に鑑み、これを好適に解決するべく提案されたものであって、貸球用の球払出装置および賞球用の球払出装置におけるケース体の外郭形状を同一とし、夫々の球払出装置を横列状態で相互に密着させながら機構セット盤の設置部に装着するよう構成することで、両装置に発生する球詰まりを好適に解消する一方、設置スペースの縮小化を図り得るようにしたパチンコ遊技機を提供することを目的とする。
【０００９】
【課題を解決するための手段】
前述した課題を克服し、所期の目的を好適に達成するため本発明は、機裏側に装備された機構セット盤における球貯留排出経路部内に、貸球用の貯留球を通出案内する第１球送出路および賞球用の貯留球を通出案内する第２球送出路が画成され、前記球貯留排出経路部の下部に設けた設置部に、前記第１球送出路に整合する貸球払出し用の第１球払出装置と、前記第２球送出路に整合する賞球払出し用の第２球払出装置とを設置したパチンコ遊技機において、
前記第１球払出装置および第２球払出装置は、球払出し機構部および中継基板を収容する本体部材と、この本体部材の開口部に整合密着し、外側から本体部材にビスをねじ込むことで組付けられるカバー部材と、前記機構セット盤の設置部に密着的に整合し、該設置部に対する設置面側から本体部材およびカバー部材にビスをねじ込むことで両部材に跨って組付けられるベース部材とから構成されて同一の外郭形状をなす矩形箱体状のケース体内に、球通路が画成されると共に、該ケース体の上・下壁面に、前記球通路に整合する球流入口および球流出口を開口形成してケース体単位で構成され、
前記ベース部材の設置面には、２つの位置決めボスが対角位置に突設されて、各位置決めボスに、組付固定ビスの挿通を許容するビス挿通孔が穿設され、
前記機構セット盤の設置部には、前記第１球払出装置の各位置決めボスに対応した第１位置決め孔と、第２球払出装置の各位置決めボスに対応した第２位置決め孔が凹設されて、該第１および第２位置決め孔に、前記ベース部材のビス挿通孔に挿通した組付固定ビスを螺合するビス孔が形成され、
前記第１球払出装置のベース部材に形成された各位置決めボスを前記設置部の第１位置決め孔へ夫々嵌合すると共に、前記第２球払出装置のベース部材に形成された各位置決めボスを前記第２位置決め孔へ夫々嵌合させて、第１および第２球払出装置を設置部に対して位置決めし、第１および第２球払出装置における各位置決めボスのビス挿通孔に挿通した組付固定ビスを第１および第２位置決め孔のビス孔に螺合することで、前記第１球払出装置および前記第２球払出装置が、一方のケース体における左側壁面に他方のケース体の右側壁面を相互に密着させた横列状態で前記機構セット盤に設けた設置部に組付けられて、第１球払出装置の前記球流入口が前記第１球送出路の球送出口に整合すると共に、前記第２球払出装置の前記球流入口が前記第２球送出路の球送出口に整合するよう構成されたよう構成したことを特徴とする。
【００１０】
【作用】
ケース体の外郭形状を同一に構成した貸球払出し用の第１球払出装置および賞球払出し用の第２球払出装置を、一方の球払出装置におけるケース体の左側壁面および他方の球払出装置におけるケース体の右側壁面を部分的または全面的に相互に密着した状態で機構セット盤の設置部に組付けるようにしたので、一方の球払出装置の作動時の振動が他方の球払出装置に伝わるようになり、相互の球払出装置に発生する球詰まりが好適に解消され得る。殊に、第１球払出装置と第２球払出装置とを、夫々のケース体の外壁面同士が全面的に相互に密着した状態で組付けた場合には、前述した球詰まり解消効果の他に、機構セット盤に対する設置スペースの大幅な縮小化を図ることができ、球払出経路部の設計やその他各種装置の設置等に係る設計の自由度が高められる。
【００１１】
【発明の実施の形態】
次に、本発明に係るパチンコ遊技機につき、好適な実施例を挙げ、添付図面を参照しながら以下詳細に説明する。なお本実施例では、貸球用のカードおよびカードユニットを利用して貯留球を貸出し得るカード式パチンコ機を例とし、後述する機構セット盤における球貯留排出経路部の下流側に、ユニット化された球払出装置が設置された形式を主に示す。
【００１２】
(パチンコ機)
そこで、先ず本実施例に係る球払出装置の組付構造が実施されるパチンコ機について、図８および図９を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分には、横開き式のガラス扉Ｄを組付けた窓枠Ｃと、ガラス扉Ｄの下部において前枠Ｂに対して着脱および開放可能に組付けられる開閉セット板の前側に上球皿Ｅが組付けられると共に、該開閉セット板の後側に電動式の球送り装置(図示せず)等がセットされている。また、前記前枠Ｂの下部に下球皿Ｆおよび打球発射装置Ｈ等が設置されると共に、裏側に機構セット盤Ｇ等が装備され、更に該前枠Ｂの後側に設けた保持枠１０の正面内部に、所要の遊技領域Ｊａを構成した遊技盤Ｊが着脱交換可能にセットされる。一方、貸球の払出し制御に必要とされる球貸しユニット(カバー式)Ｋが、パチンコ機Ｐの側方(外枠Ａの隣接部位)に設置されて各電子制御部と接続されている。
【００１３】
(機構セット盤)
前記機構セット盤Ｇは、前枠Ｂ裏側に位置する前記遊技盤Ｊセット用の保持枠１０の裏側に着脱可能に装備され、該保持枠１０に対応し得る方形サイズに樹脂成形された本体１１の中央部に遊技盤裏面の点検用の窓口１２が開口され、これに裏カバー部材１３が開閉および着脱可能に取着されており、この窓口１２の上部から右側部に亘る外周囲部に球貯留排出経路部１４等が配設されている。そして、この球貯留排出経路部１４の下側に、カセット形態とされる電動制御式の球払出装置Ｌ1,Ｌ2が設置される一方、これら球払出装置Ｌ1,Ｌ2の下方に該装置Ｌ1,Ｌ2から払出された貸球および賞球を前記上球皿Ｅまたは下球皿Ｆへ排出する球排出経路(図示せず)が形成されており、前記球貯留排出経路部１４に貯留された所定数のパチンコ球(貯留球)が、球払出装置Ｌ1,Ｌ2の作動により貸球または賞球として払出されるようになっている。
【００１４】
なお、機構セット盤Ｇのその他の構成として、前記窓口１２の下方に、アウト球およびセーフ球を機外へ排出する球通出経路が形成される他に、球抜き装置,セーフ球検出処理装置,賞球満杯検出装置および貸球用の検出スイッチ(何れも図示せず)等が夫々設置され、そして本体１１の上方隅端部にターミナル基盤(集中基盤ともいう)１５が設置されている。また前記窓口１２の下方背面には、パチンコ機Ｐを全体的に制御するメイン基板を収容した主制御装置１６や、前記打球発射装置Ｈを制御する発射制御基板を収容した発射制御装置１７、前記球払出装置Ｌ1,Ｌ2を制御する払出制御基板を収容した払出制御装置１８、前記遊技盤Ｊでのパチンコゲームに応じた効果音を発生制御する音制御基板を収容した音制御装置１９、球貸しユニットＫと接続して各種データの入力および出力を行なうためのコネクタを備えたインターフェース２０等が所要位置に設置固定される一方、前記裏カバー部材１３の背面に電源基板２１が設置固定されている。
【００１５】
(球貯留排出経路部)
前記球貯留排出経路部１４は、機構セット盤Ｇの上部に上方開口状態で設置される球容器(「球タンク」とも云う)２２と、この球容器２２底面の下流端に開口された球出口に合わせた下部に取着される斜状レール形の整流路部２３と、この整流路部２３の下流端と各球払出装置Ｌ1,Ｌ2とを連絡するように形成された球送出路部２４とから構成され、相当量(例えば５００個程度)のパチンコ球を貯留球として一時的に貯留し得るようになっている。
【００１６】
なお実施例の整流路部２３は、図４に示すように、幅方向中央部で上方へ突出しかつ長手方向へ延在する仕切板２５により、貯留球を２列整列状態で球送出路部２４へ送出案内する第１整流路２３ａおよび第２整流路２３ｂとを並設した「４条タイプ」が例とされ、例えば第１整流路２３ａを貸球用、第２整流路２３ｂを賞球用として実施に供される。また前記球送出路部２４は、図３および図４に示す如く、貯留球を１列整列状態で通出案内する「２条タイプ」として第１球送出路２６および第２球送出路２７がパチンコ機Ｐの前後方向へ設けられ、この第１球送出路２６が前記第１整流路２３ａに整合連通すると共に第２球送出路２７が前記第２整流路２３ｂに整合連通している。すなわち、第１整流路２３ａおよび第２整流路２３ｂを夫々流下した貯留球は、その出口部で２列から１列に整列されながら対応の第１球送出路２６および第２球送出路２７内へ流入するようになる。なお、前記第１球送出路２６は直線垂下状に形成されていると共に、第２球送出路２７は屈曲垂下状に形成されており、第１球送出路２６の球送出口２６ａと第２球送出路２７の球送出口２７ａとは、左右方向へ所要間隔をおいて整列している。
【００１７】
(球払出装置)
本実施例のパチンコ機Ｐでは、前記第１球送出路２６の球送出口２６ａに整合して貸球の払出しに供される第１球払出装置Ｌ1と、前記第２球送出路２７の球送出口２７ａに整合して賞球の払出しに供される第２球払出装置Ｌ2とを具備している。これら第１球払出装置Ｌ1および第２球払出装置Ｌ2は、前記第１球送出路２６の球送出口２６ａおよび前記第２球送出路２７の球送出口２７ａがパチンコ機Ｐの左右方向へ並列的に開口形成されている前提のもとで、背面側から見た場合の第１球払出装置Ｌ1の左側壁面３０ｃおよび第２球払出装置Ｌ2の右側壁面３０ｄを相互に密着させた左右方向の横列形態で、前記機構セット盤Ｇに設けた設置部２８に個々に組付けられて固定されるようになっている(図３〜図５)。
【００１８】
これら第１球払出装置Ｌ1および第２球払出装置Ｌ2は全く同一タイプとされ、前記払出制御装置１８からの出力信号により制御作動されるもとで、同制御装置１８からの貸球払出し指令信号は前記第１球払出装置Ｌ1へ出力される一方、賞球払出し指令信号は前記第２球払出装置Ｌ2へ出力され、これらの各信号に応じて遊技用の貸球と入賞成立に対する賞球とを区分払出し得る。このような第１球払出装置Ｌ1および第２球払出装置Ｌ2は、その基本的な構成として図２に示す如く、矩形箱体状に形成された合成樹脂製のケース体３０内に、電動式の球払出し機構部４５および中継基板５３を収容して構成され、前記ケース体３０単位のユニット体として取扱い得るようになっている。
【００１９】
(ケース体)
前記ケース体３０は、図１および図２に示すように、前記球払出し機構部４５および中継基板５３等を収容する本体部材３１と、この本体部材３１の開口部に整合密着するカバー部材３２と、前記設置部２８に密着的に整合し得るベース部材３３とから構成され、カバー部材３２の外側から本体部材３１に向けて１本のビス３４をねじ込むことで両部材３１,３２が組付けられて矩形箱体状を呈し、また前記ベース部材３３の外側(設置部２８に対する設置面側)から本体部材３１およびカバー部材３２に向けて４本のビス３５をねじ込むことで、両部材３１,３２に跨って該ベース部材３３が組付けられる。そして前記ケース体３０の内部は、図示右側に合成樹脂製の樋部材３６が設置されて球通路３７が画成され、この樋部材３６に隣接して球払出し機構部４５を収容するための収容室３８が画成されている。また前記本体部材３１の上壁面３０ａには、前記球通路３７の上端に整合する球流入口３９が開口形成されると共に、該部材３１の下壁面３０ｂには、該球通路３７の下端に整合する球流出口４０が開口形成されている。更に前記樋部材３６の壁部には、球払出し機構部４５の球送り体４７を球通路３７内へ臨ませるための通口４１が形成されている。一方、前記ベース部材３３の外面(設置面)には、２つの位置決めボス４２が対角位置に突設され、各ボス４２には組付固定ビス４４の挿通を許容するビス挿通孔４３が穿設されている。なお前記ベース部材３３は、前記本体部材３１またはカバー部材３２の何れかと一体成形するようにしてもよい。
【００２０】
(球払出し機構部)
前記球払出し機構部４５は、前記本体部材３１に立設されて前記通口４１に隣接した位置に臨む支軸４６に対して回転自在に支持された爪車状の前記球送り体４７と、この球送り体４７の回転・停止規制をなす規制部材４８の切換作動源である電磁ソレノイド４９と、球通路３７内の貯留球の有無を検出する上センサ５０ａおよび下センサ５０ｂとからなる貯留球用センサ５０とを備えている。前記球送り体４７は、ポリアセタール等の比較的硬質の合成樹脂からなり、外周に形成した複数(実施例では６箇所)の区画爪部４７ａにより区画された各球受け部４７ｂを前記樋部材３６の通口４１から球通路３７内へ臨ませ、この球受け部４７ｂにより球通路３７内を流下する貯留球を１個ずつ球圧を受けながら回転して排出し得るようになっている。また前記電磁ソレノイド４９は、一例としてフラッパータイプのもので、払出制御装置１８からの払出し信号に基づき作動制御されて、励磁信号に伴い磁力発生部４９ａで磁力を発生し得る一方、そのフレーム枠５１には前記規制部材４８が傾動可能に支持されている。
【００２１】
前記規制部材４８は、金属製レバー状のものが例とされ、電源投入時の作動状態において、常には付勢手段としての引張バネ５２により球送り体４７の区画爪部４７ａと係止する方向へ付勢保持されて、該球送り体４７の回転停止を図るようになっている。一方、前記電磁ソレノイド４９の通電による励磁作動に伴い磁力発生部４９ａに磁力が発生し、その磁力により前記引張バネ５２の付勢力に抗して規制部材４８が区画爪部４７ａから離間して球送り体４７の回転を許容するようになっている。また前記貯留球用センサ５０は、前記中継基板５３の一端近傍に配設され、上下各センサ５０ａ,５０ｂは互いに１球分に適した検出間隔で配置されて前記球通路３７内へ臨み、上センサ５０ａにより払出し可能な貯留球の有無を検出する一方、下センサ５０ｂにより払出された貯留球の有無を検出(カウント検出)するようになっている。このような貯留球用センサ５０は、排出された貯留球を下センサ５０ｂにより１球ずつ検出する毎に、中継基板５３を介して前記払出制御装置１８の払出制御基板へ当該検出信号を出力するようになっている。なお前記中継基板５３は、前記ビス３４の挿通を許容する挿通口５３ａが開設されると共に、ケース体３０の外側へ臨むコネクタ端子５４がその下端部に設けられている。
【００２２】
(球払出装置の組付構造)
次に、前述のように構成された球払出装置の組付構造につき説明する。実施例の第１球払出装置Ｌ1および第２球払出装置Ｌ2は、図３および図４に示す如く、前記機構セット盤Ｇの設置部２８に対して夫々２本の組付部材としての組付固定ビス４４を利用して左右方向の横列状態に組付けられる。すなわち第１球払出装置Ｌ1および第２球払出装置Ｌ2は、前記球流入口３９が形成されたケース体３０の上壁面３０ａおよび球流出口４０が形成された該ケース体３０の下壁面３０ｂを互いに密着させず、一方のケース体３０の球流入口３９および球流出口４０に他方のケース体３０が干渉しない状態で、左側壁面３０ｃおよび右側壁面３０ｄを全面的に相互に密着させながら互いに組付けられるようになっている。しかも第１球払出装置Ｌ1および第２球払出装置Ｌ2は、設置部２８に対する占有スペースが小さくなる向き(前後の向き)で、前記ベース部材３３を介して該設置部２８に組付けられる。
【００２３】
なお、前記機構セット盤Ｇの前記設置部２８には、図５に示す如く、第１球払出装置Ｌ1の前記各位置決めボス４２,４２に対応した第１位置決め孔５６,５６と、第２球払出装置Ｌ2の前記各位置決めボス４２,４２に対応した第２位置決め孔５７,５７が凹設されている。また第１および第２の夫々の位置決め孔５６,５７には、前記組付固定ビス４４が螺合するビス孔５８が形成されている。従って第１球払出装置Ｌ1は、各位置決めボス４２,４２を前記第１位置決め孔５６,５６へ夫々嵌合させることにより設置部２８に対する位置決めが簡単かつ確実になされ、また第２球払出装置Ｌ2は、各位置決めボス４２,４２を前記第２位置決め孔５７,５７へ夫々嵌合させることにより設置部２８に対する位置決めが簡単かつ確実になされる。
【００２４】
【実施例の作用】
次に、前述のように構成された本実施例に係るパチンコ遊技機の作用につき説明する。
【００２５】
実施例の各球払出装置Ｌ1,Ｌ2は、矩形箱状に形成された合成樹脂製の本体部材３１に樋部材３６をセットする一方、前記収容室３８内に球払出し機構部４５および中継基板５３をセットしたもとで、該本体部材３１に前記カバー部材３２を被覆してビス３４をねじ込むことにより、本体部材３１およびカバー部材３２が組付けられる。そして、これら部材３１,３２の前側に前記ビス３５を利用して前記ベース部材３３を組付けることにより、ケース体３０単位のユニット体として構成されて取扱われる。
【００２６】
(機構セット盤への組付け)
前述のようにケース体３０単位で取扱われる各球払出装置Ｌ1,Ｌ2は、図４に示す如く、球貯留排出経路部１４を予め組付けた前記機構セット盤Ｇの設置部２８に対し、例えば先ず第１球払出装置Ｌ1を位置決めセットして２本の組付固定ビス４４を利用して組付け、次いで第２球払出装置Ｌ2を位置決めセットして２本の組付固定ビス４４を利用して組付ける。すなわち第１球払出装置Ｌ1は、各位置決めボス４２,４２を前記第１位置決め孔５６,５６へ夫々嵌合させることにより、ベース部材３３を介して設置部２８における右側に位置決めされ(図３)、また第２球払出装置Ｌ2は、各位置決めボス４２,４２を前記第２位置決め孔５７,５７へ夫々嵌合させることにより、ベース部材３３を介して設置部２８における左側に位置決めされ(図３)、これにより第１球払出装置Ｌ1および第２球払出装置Ｌ2は、設置部２８に対する占有スペースが小さくなる向き(縦向き)で左右方向の横列状態で相互に密着する。このとき第１球払出装置Ｌ1の球流入口３９が前記球送出路部２４における第１球送出路２６の球送出口２６ａに整合して、該第１球送出路２６と球通路３７が整合連通する一方、第２球払出装置Ｌ2の球流入口３９が前記球送出路部２４における第２球送出路２７の球送出口２７ａに整合して、該第２球送出路２７と球通路３７が整合連通する。
【００２７】
(パチンコ球の供給)
前記パチンコ機Ｐを、遊技ホール内の設置枠台(通称「島」)に縦向きの姿勢で設置した後、機外の球補給設備から球貯留排出経路部１４における前記球容器２２内へパチンコ球を供給すると、パチンコ球は球容器２２から整流路部２３の第１整流路２３ａまたは第２整流路２３ｂへ流入する。そして第１整流路２３ａへ流入したパチンコ球は、球送出路部２４の第１球送出路２６内へ流入し、第１球払出装置Ｌ1へ到来して貸球用の貯留球として順次貯留され、第２整流路２３ｂへ流入したパチンコ球は、球送出路部２４の第２球送出路２７内へ流入し、第２球払出装置Ｌ2へ到来して賞球用の貯留球として順次貯留される。
【００２８】
(貸球の払出し)
そして貯留球が正常に貯留された状態において、当該パチンコ機Ｐでのパチンコ遊技に先立ち、遊技者が前記貸球用のカードおよび球貸しユニットＫを利用して適正な球貸し操作をした場合には、この操作に応答して前記第１球払出装置Ｌ1が作動制御されることにより、第１球送出路２６および第１整流路２３ａ内の所定数の貯留球が貸球として前記上球皿Ｅ側へ給出される。このとき、第１球払出装置Ｌ1および第２球払出装置Ｌ2の夫々のケース体３０,３０が相互に密着しているので、該第１球払出装置Ｌ1の作動時の振動が前記第２球払出装置Ｌ2へ適度に伝達される。
【００２９】
(賞球の払出し)
一方、前記貸球を遊技球として前記遊技盤Ｊ内でパチンコゲームが展開されている途中で入賞球が発生した場合には、これに応答して前記第２球払出装置Ｌ2が作動制御されることにより、第２球送出路２７および第２整流路２３ｂ内の所定数の貯留球が賞球として前記上球皿Ｅ側へ給出される。このとき、第１球払出装置Ｌ1および第２球払出装置Ｌ2の夫々のケース体３０,３０が相互に密着しているので、該第２球払出装置Ｌ2の作動時の振動が前記第１球払出装置Ｌ1へ適度に伝達される。
【００３０】
(各球払出装置の交換)
前記パチンコ機Ｐがパチンコゲームに供されている際に、例えば比較的頻繁に作動する前記第２球払出装置Ｌ2が故障した場合には、前記２本の組付固定ビス４４を弛めて取外したもとで設置部２８から取外し、同タイプの新品の球払出装置を第２球払出装置Ｌ2として装着する。すなわち、新品の第２球払出装置Ｌ2を前記設置部２８に位置決めセットし、前述したと同様に前記２本の組付固定ビス４４をビス孔５８へねじ込むだけで組付けが完了し、第１球払出装置Ｌ1を脱着することなく第２球払出装置Ｌ2の交換作業を行なうことができる。
【００３１】
また、前記第１球払出装置Ｌ1が故障した場合には、前記２本の組付固定ビス４４を弛めて取外したもとで設置部２８から取外し、同タイプの新品の球払出装置を第１球払出装置Ｌ1として装着する。すなわち、新品の第１球払出装置Ｌ1を前記設置部２８に位置決めセットし、前述したと同様に前記２本の組付固定ビス４４をビス孔５８へねじ込むだけで組付けが完了し、第２球払出装置Ｌ2を脱着することなく第１球払出装置Ｌ1の交換作業を行なうことができる。
【００３２】
このように実施例に係る球払出装置の組付構造では、左右方向の横列状態で相互に密着して組付けた第１球払出装置Ｌ1および第２球払出装置Ｌ2の何れか一方が故障した場合、故障した当該の球払出装置のみを新品に交換し、故障していない他方の球払出装置はそのまま継続使用することができるので、保守・管理費用の大幅な低減が可能となる。
【００３３】
また、第１球払出装置Ｌ1および第２球払出装置Ｌ2を左右方向の横列状態に組付けた際に、第１球払出装置Ｌ1の左側壁面３０ｃと第２球払出装置Ｌ2の右側壁面３０ｄが相互に密着しているから、例えば第１球払出装置Ｌ1に球詰まりが発生した場合は、第２球払出装置Ｌ2の作動時の振動がこの第１球払出装置Ｌ1へ伝わることにより、該装置Ｌ1の球詰まりを好適に解消し得る。一方、第２球払出装置Ｌ2に球詰まりが発生した場合も、第１球払出装置Ｌ1の作動時の振動がこの第２球払出装置Ｌ2へ伝わることにより、該装置Ｌ2の球詰まりを好適に解消し得る。なお、球送出路部２４を半透明な部材で構成すれば、球払出装置Ｌ1,Ｌ2での球詰まりを容易に確認することができる。
【００３４】
更に、第１球払出装置Ｌ1および第２球払出装置Ｌ2は、設置部２８に対する占有スペースが小さくなる向き(前後の向き)で、該設置部２８に対して左右方向の横列状態で相互に密着させて組付けるようにしたので、略１基の球払出装置の設置スペースで２基の球払出装置を設置することが可能となる。従って設置部２８のサイズを小さく設定し得るから、各球皿Ｅ,Ｆに至る球払出経路部の設計やその他各種装置の設置等に係る設計の自由度が高められる。
【００３５】
【組付態様の別例】
なお前記実施例では、第１球払出装置Ｌ1と第２球払出装置Ｌ2の組付態様として、背面側から見た場合の第１球払出装置Ｌ1の左側壁面３０ｃと第２球払出装置Ｌ2の右側壁面３０ｄとを全面的に密着させた左右方向の横列状態の組付けを例示したが、組付態様はこれに限定されるものではない。すなわち、第１球払出装置Ｌ1のケース体３０に形成された球流入口３９および球流出口４０と、第２球払出装置Ｌ2のケース体３０とが干渉せず、かつ第２球払出装置Ｌ2のケース体３０に形成された球流入口３９および球流出口４０と、第１球払出装置Ｌ1のケース体３０とが干渉しないことを前提とすれば、例えば図６および図７に示すような様々な組付態様を適宜採用し得る。
【００３６】
このうち図６は、第１球払出装置Ｌ1に対して第２球払出装置Ｌ2を下方へオフセットさせて設置部２８に設置したもので、第１球払出装置Ｌ1の左側壁面３０ｃと第２球払出装置Ｌ2の右側壁面３０ｄとを部分的に密着させた左右方向の横列状態の組付態様を例示したものである。また図７(ａ),(ｂ)は、第１球払出装置Ｌ1に対して第２球払出装置Ｌ2を後方へオフセットさせて設置部２８に設置したもので、第１球払出装置Ｌ1の左側壁面３０ｃと第２球払出装置Ｌ2の右側壁面３０ｄとを部分的に密着させた左右方向の横列状態の組付態様を例示したものである。但し設置部２８は、第２球払出装置Ｌ2を設置する部位が、後方へ突出した突出部６０として形成されている。図６および図７に図示した各形態では、第１球払出装置Ｌ1および第２球払出装置Ｌ2は、夫々のケース体３０を部分的に相互に密着した状態で機構セット盤Ｇの設置部２８に組付けられるので、例えば第１球払出装置Ｌ1の作動時の振動が第２球払出装置Ｌ2に伝わると共に、第２球払出装置Ｌ2の作動時の振動が第１球払出装置Ｌ1に伝わるようになり、各球払出装置Ｌ1,Ｌ2の球詰まりを相互に好適に解消し得る。
【００３７】
なお前記実施例および変更例では、右側の第１球送出路２６が貸球用の送出路とされると共に左側の第２球送出路２７が賞球用の送出路とされていたので、設置部２８の右部分に貸球払出し用の第１球払出装置Ｌ1を設置すると共に該設置部２８の左部分に賞球払出し用の第２球払出装置Ｌ2を設置するようになっていた。しかしながら、右側の第１球送出路２６が賞球用の送出路とされると共に左側の第２球送出路２７が貸球用の送出路とされる場合では、設置部２８の右側部分に賞球払出し用の第２球払出装置Ｌ2を設置すると共に該設置部２８の左側部分に貸球払出し用の第１球払出装置Ｌ1を設置するようになる。
【００３８】
【発明の効果】
以上説明した如く、本発明に係るパチンコ遊技機によれば、ケース体の外郭形状を同一に構成した貸球払出し用の第１球払出装置および賞球払出し用の第２球払出装置を、夫々のケース体に設けた球流入口および球流出口に他方のケース体が干渉しないように相互に密着させ、この状態で機構セット盤の設置部に対して横列状態で組付けるようにしたので、一方の球払出装置の作動時の振動が他方の球払出装置に伝わるようになり、相互の球払出装置の球詰まりを好適に解消し得る利点がある。この場合、第１球払出装置と第２球払出装置とは、夫々のケース体の左側壁面および右側壁面を部分的に接触させたり、該左側壁面および右側壁面を全面的に接触させるようにすればよい。
但し、第１球払出装置と第２球払出装置とを、夫々のケース体における左側壁面および右側壁面を全面的に相互に密着させて組付けた場合には、前述した球詰まり解消効果の他に、機構セット盤に対する設置スペースの大幅な縮小化を図り得る有益な効果を奏する。
また、第１球払出装置と第２球払出装置とは同一の外郭形状に形成されたケース体で構成されるから部品の共通化が可能であり、製造コストを低廉に抑えることができる。しかも第１球払出装置と第２球払出装置とは、設置部に対して別々に着脱するようになっているので、例えば一方の球払出装置が故障した場合には、この故障した球払出装置のみを脱着交換すればよく、メンテナンス作業が容易となる利点等もある。
【図面の簡単な説明】
【図１】本発明の好適実施例に係る球払出装置の組付構造に実施される球払出装置を示す斜視図であって、(ａ)は同タイプの２基の球払出装置を左右方向の横列状態に接触させた状態を示し、(ｂ)は球払出装置を前側からみた状態を示している。
【図２】図１に示す夫々の球払出装置の内部構造を、一部破断して示す分解斜視図である。
【図３】設置部に対して２基の球払出装置を左右方向の横列状態に組付けた状態を示す機構セット盤の部分正面図である。
【図４】設置部に対して２基の球払出装置を左右方向の横列状態に組付ける状態を示す機構セット盤の部分斜視図である。
【図５】機構セット盤の球貯留排出経路部の下方に設けた設置部と、該設置部に装着する球払出装置を示す部分拡大図である。
【図６】第１球払出装置と第２球払出装置の組付態様の別例を示す説明図であって、第２球払出装置を第１球払出装置に対して下方へオフセットさせて組付けたものである。
【図７】第１球払出装置と第２球払出装置の組付態様の別例を示す説明図であって、(ａ)は第２球払出装置を第１球払出装置に対して後方へオフセットさせて組付けた状態を示す側面図、(ｂ)は(ａ)におけるＸ−Ｘ線断面図である。
【図８】本発明に係る球払出装置の組付構造を実施したカード式パチンコ機の正面図である。
【図９】図８に示したカード式パチンコ機の背面図である。
【符号の説明】
１４  球貯留排出経路部
２６  第１球送出路
２６ａ  球送出口
２７  第２球送出路
２７ａ  球送出口
２８  設置部
３０  ケース体
３０ａ  上壁面
３０ｂ  下壁面
３０ｃ  左側壁面
３０ｄ  右側壁面
３１  本体部材
３２  カバー部材
３３  ベース部材
３４  ビス
３５  ビス
３７  球通路
３９  球流入口
４０  球流出口
４２  位置決めボス
４３  ビス挿通孔
４４  組付固定ビス
５６  第１位置決め孔
５７  第２位置決め孔
５８  ビス孔
Ｇ  機構セット盤
Ｌ1  第１球払出装置
Ｌ2  第２球払出装置
【図１】
0004300387.tif 000002
【図２】
0004300387.tif 000003
【図３】
0004300387.tif 000004
【図４】
0004300387.tif 000005
【図５】
0004300387.tif 000006
【図６】
0004300387.tif 000007
【図７】
0004300387.tif 000008
【図８】
0004300387.tif 000009
【図９】
0004300387.tif 000010